(57)【要約】      （修正有）【課題】本発明は、遊技者の意思で自由に離席することができ、離席中の遊技機に対して他の遊技者が遊技をすることを抑制乃至防止することのできる遊技者離席報知システムを提供する。【解決手段】本発明は、遊技場Ｈに設置された遊技機１に対応して設置される離席監視装置４０を備え、離席監視装置は、鍵体４００を配置可能な鍵体配置部４０１と、鍵体配置部に対する鍵体の有無の判断及び鍵体配置部に配置された鍵体が予め登録された鍵体であるか否かの判断を行う制御部と、を含み、制御部は、予め登録された鍵体が鍵体配置部に無いと判断した場合、遊技者が離席中である旨を報知するための離席報知信号を出力する。【選択図】図１
2020151241.tif 000002
【特許請求の範囲】
【請求項１】
遊技場に設置された遊技機に対応して設置される離席監視装置を備え、離席監視装置は、鍵体を配置可能な鍵体配置部と、鍵体配置部に対する鍵体の有無の判断及び鍵体配置部に配置された鍵体が予め登録された鍵体であるか否かの判断を行う制御部と、を含み、制御部は、予め登録された鍵体が鍵体配置部に無いと判断した場合、遊技者が離席中である旨を報知するための離席報知信号を出力することを特徴とする遊技者離席報知システム。
【請求項２】
制御部は、遊技機に隣接して設置された遊技媒体貸出装置であって、遊技機で遊技をするための遊技媒体を貸し出すための遊技媒体貸出装置に対して通信可能に構成され、予め登録された鍵体が鍵体配置部に無いと判断した場合、遊技媒体貸出装置に向けて遊技媒体の貸し出しを停止させるための停止指示信号を出力する請求項１に記載の遊技者離席報知システム。
【請求項３】
制御部は、遊技機に対する操作の有無を判断可能に構成され、予め登録された鍵体が鍵体配置部に無いと判断した状態で、遊技機が操作されたと判断した場合に、他の遊技者が遊技機を操作している旨を報知するための誤操作警告信号を出力する請求項１又は請求項２に記載の遊技者離席報知システム。
【請求項４】
離席監視装置は、遊技者の離席理由を選択するための選択手段を更に含み、制御部は、選択手段によって選択された離席理由に応じた離席許容時間を抽出し、該離席許容時間及び該離席許容時間に関連する情報の少なくとも何れか一方を報知するための離席情報信号を出力する請求項１乃至請求項３の何れか１項に記載の遊技者離席報知システム。
【請求項５】
離席監視装置から離れた位置に設置される情報提示装置を更に備え、情報提示装置は、離席監視装置の制御部に対して直接的又は間接的に通信可能な遠隔制御部と、遠隔制御部に電気的に接続された鍵体認識部であって、遊技者の所持する鍵体を認識可能な鍵体認識部と、離席に関する情報を報知する情報報知手段とを含み、遠隔制御部は、鍵体認識部が鍵体を認識したときに、該認識した鍵体と対応する離席監視装置と通信し、該離席監視装置から出力された離席情報信号に基づいて離席許容時間及び該離席許容時間に関連する情報の少なくとも何れか一方を情報報知手段に報知させる請求項４に記載の遊技者離席報知システム。
【発明の詳細な説明】
【技術分野】
【０００１】
本発明は、パチンコ機やスロットマシン等の遊技機で遊技をしている遊技者が離席中である旨を報知するための遊技者離席報知システムに関する。
【背景技術】
【０００２】
パチンコ機やスロットマシン等の遊技機の設置された遊技場では、遊技者が長時間に亘って遊技をすることがある。このような遊技者は、トイレ休憩や食事休憩等の種々の理由で遊技機から離れることがある。なお、本願では、理由を問わず、遊技者が遊技中の遊技機（席）から離れることを「離席」ということとする。
【０００３】
通常、遊技者が離席する際、遊技者は、予め遊技場の係員（ホールスタッフともいう）を呼び、遊技者が離席中である旨（特定の遊技者が遊技機を専有している旨）を係員に表示して貰う。
【０００４】
この遊技者が離席中である旨の表示は、遊技場毎に態様が異なり、例えば、遊技機に対応してその都度設置される表示札によって表示される場合や、遊技機又は呼出装置に設けられたモニター等によって表示される場合等がある（例えば、特許文献１参照）。
【０００５】
これにより、離席中である旨（特定の遊技者が遊技機を専有している旨）を遊技機に対応させて報知できるため、離席中の遊技機に対して他の遊技者が遊技をすることを抑制乃至防止できる。従って、特定の遊技者が遊技機（席）に戻ってきたときに、該遊技者が同じ遊技機で遊技を再開することができる。
【０００６】
しかしながら、上記のような遊技場では、遊技者が離席する際、遊技者は、予め呼び出した係員が来るまで待たなければならない。そのため、遊技者に急用が生じて直ちに離席しなければならないとき等に不都合が生じる。
【０００７】
また、遊技者の中には、係員を呼ぶことを知らない遊技者や、係員が来るのを待つことのできない遊技者が存在し、このような遊技者は、離席中である旨の表示がされない状態で離席してしまうことがある。このような場合、離席中の遊技機に対して他の遊技者が遊技を開始してしまい、元の遊技機（席）に戻ってきた遊技者との間でトラブルが発生する虞がある。
【先行技術文献】
【特許文献】
【０００８】
【特許文献１】特開平８―１９６７３１号公報
【発明の概要】
【発明が解決しようとする課題】
【０００９】
そこで、本発明は、遊技者の意思で自由に離席することができ、離席中の遊技機に対して他の遊技者が遊技をすることを抑制乃至防止することのできる遊技者離席報知システムを提供することを課題とする。
【課題を解決するための手段】
【００１０】
本発明に係る遊技者離席報知システムは、遊技場に設置された遊技機に対応して設置される離席監視装置を備え、離席監視装置は、鍵体を配置可能な鍵体配置部と、鍵体配置部に対する鍵体の有無の判断及び鍵体配置部に配置された鍵体が予め登録された鍵体であるか否かの判断を行う制御部と、を含み、制御部は、予め登録された鍵体が鍵体配置部に無いと判断した場合、遊技者が離席中である旨を報知するための離席報知信号を出力することを特徴とする。
【００１１】
上記構成によれば、遊技機で遊技をしている遊技者が離席する際に、離席監視装置の鍵体配置部に配置された鍵体を持って離席すれば、予め登録された鍵体が鍵体配置部には無い状態になる。
【００１２】
これに伴い、制御部は、予め登録された鍵体が鍵体配置部に無いと判断し、離席報知信号を出力する。従って、制御部からの離席報知信号に基づき、報知手段による報知が可能となる。これにより、他の遊技者に対して離席中である旨を報知できる。
【００１３】
また、他の遊技者が他の遊技機に対応する鍵体を所持している場合、他の遊技者が誤って自身の鍵体を鍵体配置部に配置する可能性があるが、他の遊技者の所持する鍵体は、予め登録された鍵体ではない。
【００１４】
従って、他の遊技者が誤って自身の鍵体を鍵体配置部に配置した場合、制御部は、予め登録された鍵体が鍵体配置部に無いと判断し、離席報知信号を出力する。従って、制御部からの離席報知信号に基づき、報知手段が報知する、或いは報知を続行する。これにより、他の遊技者に対して離席中である旨を報知できる。
【００１５】
このように、本発明に係る遊技者離席報知システムによれば、遊技者が係員を呼び出したり、係員の到着を待ったりすることなく、離席中である旨を報知できるため、他の遊技者が、離席中の遊技機で遊技をすることが抑制乃至防止される。
【００１６】
本発明の一態様として、制御部は、遊技機に隣接して設置された遊技媒体貸出装置であって、遊技機で遊技をするための遊技媒体を貸し出すための遊技媒体貸出装置に対して通信可能に構成され、予め登録された鍵体が鍵体配置部に無いと判断した場合、遊技媒体貸出装置に向けて遊技媒体の貸し出しを停止させるための停止指示信号を出力するようにしてもよい。
【００１７】
上記構成によれば、遊技者が鍵体を持って離席している状態において、制御部は、予め登録された鍵体が鍵体配置部に無いと判断し、遊技媒体貸出装置に向けて遊技媒体の貸し出しを停止させるための停止指示信号を出力する。従って、制御部からの停止指示信号に基づき、遊技媒体貸出装置による遊技媒体の貸し出しの停止が可能となる。
【００１８】
これにより、離席中に遊技機に対応する遊技媒体貸出装置から遊技媒体が貸し出されてしまうことを阻止することができる。すなわち、他の遊技者が遊技媒体貸出装置から遊技媒体を借り受け、離席中の遊技機で遊技を開始することが抑制乃至防止される。
【００１９】
また、他の遊技者が他の遊技機に対応する鍵体を持っている場合、誤ってこの鍵体を鍵体配置部に配置しても、その鍵体は予め登録された鍵体ではないため、制御部は、予め登録された鍵体が鍵体配置部に無いと判断し、遊技媒体貸出装置に向けて遊技媒体の貸し出しを停止させるための停止指示信号を出力する。
【００２０】
従って、制御部からの停止指示信号に基づいて遊技媒体貸出装置が遊技媒体の貸し出しを停止する、或いは貸し出しの停止を続行する。
【００２１】
これにより、離席中に遊技機に対応する遊技媒体貸出装置から遊技媒体が貸し出されてしまうことを阻止することができる。すなわち、他の遊技者が遊技媒体貸出装置から遊技媒体を借り受け、離席中の遊技機で遊技を開始することが抑制乃至防止される。
【００２２】
本発明の他態様として、制御部は、遊技機に対する操作の有無を判断可能に構成され、予め登録された鍵体が鍵体配置部に無いと判断した状態で、遊技機が操作されたと判断した場合に、他の遊技者が遊技機を操作している旨を報知するための誤操作警告信号を出力するようにしてもよい。
【００２３】
上記構成によれば、制御部は、予め登録された鍵体が鍵体配置部に無いと判断した状態、すなわち、遊技者が離席中と判断した状態で、遊技機が操作されたと判断した場合に、他の遊技者が遊技機を操作している旨を報知するための誤操作警告信号を出力する。従って、制御部からの誤操作警告信号に基づき、報知手段による報知が可能となる。これにより、他の遊技者に対して権限のない遊技機で遊技をしようとしている旨を報知することができる。
【００２４】
本発明の別の態様として、離席監視装置は、遊技者の離席理由を選択するための選択手段を更に含み、制御部は、選択手段によって選択された離席理由に応じた離席許容時間を抽出し、該離席許容時間及び該離席許容時間に関連する情報の少なくとも何れか一方を報知するための離席情報信号を出力するようにしてもよい。
【００２５】
上記構成によれば、離席監視装置が遊技者の離席理由を選択するための選択手段を含むため、遊技者が離席する際に選択手段で自身の離席理由を選択できる。この遊技者の選択を前提に、制御部は、選択手段によって選択された離席理由に応じた離席許容時間を抽出し、該離席許容時間及び該離席許容時間に関連する情報の少なくとも何れか一方を報知するための離席情報信号を出力する。
【００２６】
従って、制御部からの離席情報信号に基づき、遊技者に対する離席許容時間等についての報知手段による報知が可能となる。これにより、離席中の遊技者は、自身の離席許容時間を把握したり、離席許容時間に関連する情報（例えば、離席許容時間までの残り時間）を把握したりすることができる。
【００２７】
この場合、離席監視装置から離れた位置に設置される情報提示装置を更に備え、情報提示装置は、離席監視装置の制御部に対して直接的又は間接的に通信可能な遠隔制御部と、遠隔制御部に電気的に接続された鍵体認識部であって、遊技者の所持する鍵体を認識可能な鍵体認識部と、離席に関する情報を報知する情報報知手段とを含み、遠隔制御部は、鍵体認識部が鍵体を認識したときに、該認識した鍵体と対応する離席監視装置と通信し、該離席監視装置から出力された離席情報信号に基づいて離席許容時間及び該離席許容時間に関連する情報の少なくとも何れか一方を情報報知手段に報知させるようにしてもよい。
【００２８】
このようにすれば、離席中の遊技者が遊技機から離れた場所にいても、遊技機から離れた場所にある情報提示装置（情報報知手段）の報知により、離席中の遊技者は、自身の離席許容時間を把握したり、離席許容時間に関連する情報（例えば、離席許容時間までの残り時間）を把握したりすることができる。
【００２９】
具体的には、情報提示装置は、遊技機から離れた位置に設置されるため、遊技者は、離席中の遊技機から離れた場所に居るときに、近くの情報提示装置にアクセスできる。そして、遠隔制御部は、鍵体認識部が鍵体を認識したときに、該認識した鍵体と対応する離席監視装置と通信するため、離席中の遊技機に対応した離席情報信号を取得する。
【００３０】
これに伴って、情報報知手段は、遠隔制御部の指示により、離席情報信号に基づく離席許容時間及び該離席許容時間に関連する情報の少なくとも何れか一方を報知する。これにより、離席中の遊技者は、遊技機に戻ることなく、自身の離席許容時間を把握したり、離席許容時間に関連する情報（例えば、離席許容時間までの残り時間）を把握したりすることができる。
【発明の効果】
【００３１】
以上のように、本発明によれば、遊技者の意思で自由に離席することができ、離席中の遊技機に対して他の遊技者が遊技をすることを抑制乃至防止することができるという優れた効果を奏し得る。
【図面の簡単な説明】
【００３２】
【図１】図１は、本発明の第一実施形態に係る遊技者離席報知システムを採用した遊技場の説明図である。
【図２】図２は、第一実施形態に係る遊技者離席報知システムを含んだ遊技場内のシステムの概略ブロック図である。
【図３】図３は、第一実施形態に係る遊技者離席報知システムの離席監視装置の概略ブロック図である。
【図４】図４は、第一実施形態に係る遊技者離席報知システムの処理フロー図である。
【図５】図５は、本発明の第二実施形態に係る遊技者離席報知システムを含んだ遊技場内のシステムの概略ブロック図である。
【図６】図６は、第二実施形態に係る遊技者離席報知システムの離席監視装置の概略ブロック図である。
【図７】図７は、第二実施形態に係る遊技者離席報知システムの情報提示装置の概略ブロック図である。
【図８】図８は、本発明の他実施形態に係る遊技者離席報知システムの離席監視装置の概略ブロック図である。
【図９】図９は、本発明の別の実施形態に係る遊技者離席報知システムの離席監視装置の概略ブロック図である。
【図１０】図１０は、本発明のさらに別の実施形態に係る遊技者離席報知システムを含んだ遊技場内のシステムの概略ブロック図である。
【図１１】図１１は、図１０の遊技者離席報知システムの離席監視装置の概略ブロック図である。
【図１２】図１２は、図１０の遊技者離席報知システムの情報提示装置の概略ブロック図である。
【発明を実施するための形態】
【００３３】
以下、本発明の第一実施形態について、添付図面を参照しつつ説明する。
【００３４】
まず、本実施形態に係る遊技者離席報知システムの説明に先立ち、該遊技者離席報知システムが前提とする遊技場について概略説明する。
【００３５】
図１に示す如く、遊技場Ｈは、パチンコ機やスロットマシン等の複数の遊技機１が一群となった遊技機群（いわゆる、遊技島）Ｇを有する。遊技島Ｇには、遊技機１で遊技をするための遊技媒体を貸し出すための遊技媒体貸出装置２や、遊技者が遊技場Ｈの係員を呼び出すための呼出装置３が含まれる。なお、図１に示す遊技島Ｇにおいて、遊技機１としてパチンコ機が設置されている。
【００３６】
遊技媒体貸出装置２及び呼出装置３は、遊技機１毎に配置される。一般的に、遊技島Ｇに含まれる複数の遊技機１は、横方向に間隔をあけて横並びに配置される。これに伴い、遊技媒体貸出装置２は、対応する遊技機１に対して横並びに隣接して配置される。これに対し、呼出装置３は、対応する遊技機１の上方位置に配置される。
【００３７】
本実施形態で例示する遊技場Ｈにおいて、呼出装置３は、遊技機１と通信可能に接続される（図２参照）。これにより、呼出装置３は、対応する遊技機１から遊技に関する情報（以下、遊技情報という）を取得する。これに伴い、呼出装置３は、遊技情報やこれに関連する情報を報知するための報知手段３０を備える。図１に示す呼出装置３は、報知手段３０として、画像を表示するモニター３１と、図示しない音声出力装置とを含む。また、図１に示す呼出装置３は、報知手段３０として、発光によって報知を行う発光部３２を備える。
【００３８】
なお、一般的な遊技場Ｈでは、遊技機１の稼働率の低下を防止することを目的に、遊技者に対する離席許容時間（遊技者に対して離席を認める時間）が決められている。多くの遊技場では、遊技者の離席理由に応じた離席許容時間（遊技者に対して離席を認める時間）が決められている。
【００３９】
これに伴い、遊技者の離席時間が離席許容時間を超えた場合、遊技機１を他の遊技者に対して開放する処理（例えば、遊技機１に残った遊技媒体の払い出しや、遊技媒体貸出装置２に残った有価媒体の払い出しを行って、払い出した遊技媒体や有価媒体を遊技場Ｈが離席中の遊技者に返還する目的で、遊技場Ｈ側で一時預かりするといった係員の処理）が行われる。
【００４０】
一般的な遊技場Ｈは、以上のような構成を備える。本実施形態に係る遊技者離席報知システム４は、上述のような一般的な遊技場Ｈを対象とする。本実施形態に係る遊技者離席報知システム４は、遊技場Ｈに設置された遊技機１に対応して設置される離席監視装置４０を備える。すなわち、遊技者離席報知システム４は、それぞれが複数の遊技機１のそれぞれに対応して配置される複数の離席監視装置４０を備える。
【００４１】
本実施形態において、複数の離席監視装置４０は、同一の構成を有する。図２に示す如く、離席監視装置４０は、対応する遊技機１に通信可能な呼出装置３に対して通信可能に接続される。また、離席監視装置４０は、対応する遊技機１に対応する遊技媒体貸出装置２に対しても通信可能に接続される。
【００４２】
より具体的に説明すると、離席監視装置４０は、図３に示す如く、鍵体４００を配置可能な鍵体配置部４０１と、鍵体配置部４０１に対する鍵体４００の有無の判断及び鍵体配置部４０１に配置された鍵体４００が予め登録された鍵体４００であるか否かの判断を行う制御部４０２と、を含む。
【００４３】
本実施形態において、離席監視装置４０は、対応する遊技機１が離席中である旨を少なくとも報知するための報知手段４０３をさらに含む。また、離席監視装置４０は、遊技者が離席の理由を選択するための選択手段４０４をさらに含む。さらに、本実施形態に係る離席監視装置４０は、制御部４０２に接続された通信ポート４０５であって、外部との通信を行うための通信ポート４０５をさらに含む。
【００４４】
本実施形態において、鍵体４００にはカードキーが採用される。これに伴い、鍵体配置部４０１は、カードキーを差し込んだ状態で配置できるようになっている（図１参照）。
【００４５】
これに伴い、離席監視装置４０は、鍵体配置部４０１に配置された鍵体４００を認識する認識部４０６を含む。本実施形態において、鍵体４００にカードキーが採用されるため、認識部４０６は、鍵体配置部４０１に配置された鍵体４００（カードキー）と重なる位置に配置される（図１参照）。
【００４６】
本実施形態において、鍵体４００（カードキー）は、ＩＣカードである。これに伴い、認識部４０６には、鍵体４００（ＩＣカード）を読み取るリーダー、又は鍵体４００（ＩＣカード）に対して読み書きするリード／ライト装置が採用される。すなわち、離席監視装置４０の鍵体４００の認識には、鍵体４００及び認識部４０６が近距離通信を行う、いわゆる、ＮＦＣ（近距離無線通信規格）が採用される。認識部４０６は、制御部４０２に接続され、認識した鍵体４００の情報を制御部４０２に送るようになっている。
【００４７】
制御部４０２は、図示しない演算部と、図示しない記憶部とを備える。記憶部は、該離席監視装置４０を作動させるためにプログラムや、鍵体４００に関する情報を記憶する。
【００４８】
また、記憶部は、離席中である旨を報知するための報知態様を報知情報として記憶する。さらに、記憶部は、離席許容時間（遊技者に対して許容される離席の時間）を離席情報として記憶する。本実施形態において、報知情報及び離席情報には、画像情報や、音声情報が含まれる。
【００４９】
本実施形態において、記憶部は、複数種類の離席理由と、各離席理由に対応した複数の報知情報とを互いに関連づけて記憶する。また、記憶部は、複数種類の離席理由と、各離席理由に対応した複数の離席情報とを互いに関連づけて記憶する。演算部及び記憶部は、互いに接続され、演算部は、記憶部に記憶されたプログラムに基づいて、遊技者の離席の監視や報知等についての処理を行う。
【００５０】
報知手段４０３は、外部に向けて離席中である旨を報知可能に構成される。報知手段４０３には、画像を表示する表示部４０３ａと、音声出力する音声出力部４０３ｂとが含まれる。本実施形態において、報知手段４０３には、表示部４０３ａ及び音声出力部４０３ｂに加え、発光によって報知を行う発光報知部４０３ｃが含まれる。これに伴い、本実施形態において、制御部４０２の記憶部に記憶される報知情報（報知態様）には、画像情報及び音声情報の他、発光パターンについての発光情報等が含まれる。
【００５１】
表示部４０３ａ、音声出力部４０３ｂ及び発光報知部４０３ｃは、制御部４０２に接続される。これに伴い、表示部４０３ａは、制御部４０２による処理（指示）に基づき、離席中である旨を画像によって報知する。音声出力部４０３ｂは、制御部４０２による処理（指示）に基づき、離席中である旨を音声によって報知する。また、発光報知部４０３ｃは、制御部４０２による処理（指示）に基づき、離席中である旨を発光によって報知する。
【００５２】
本実施形態において、表示部４０３ａには、パネル型のモニターが採用されている。すなわち、表示部４０３ａには、液晶パネル又は有機ＥＬパネルが採用される。
【００５３】
選択手段４０４には、機械式スイッチやタッチパネル式スイッチが採用可能である。本実施形態において、選択手段４０４は、表示部４０３ａに重ね合わされて配置されるタッチパネル式スイッチが採用される。これにより、表示部４０３ａに表示に応じて遊技者がタッチパネル式スイッチをタッチ操作することで、遊技者が自身の離席理由を選択できるようになっている。
【００５４】
通信ポート４０５には、呼出装置３が接続される。すなわち、呼出装置３は、通信ポート４０５を介して離席監視装置４０の制御部４０２に接続される。本実施形態において、呼出装置３の報知手段３０（モニター３１、音声出力装置、発光部３２）は、当該遊技者離席報知システム４の報知手段に兼用されている。すなわち、呼出装置３は、制御部４０２の指示に従い、自身の報知手段３０（モニター３１、音声出力装置、発光部３２）に離席中である旨を表示する。
【００５５】
本実施形態において、通信ポート４０５には、呼出装置３の他、遊技媒体貸出装置２が接続される。すなわち、遊技媒体貸出装置２は、通信ポート４０５を介して離席監視装置４０の制御部４０２に接続される。
【００５６】
これに伴い、遊技媒体貸出装置２は、離席監視装置４０の制御部４０２の指示（出力信号）に応じ、遊技媒体の貸し出しを禁止する。本実施形態において、遊技媒体貸出装置２は、遊技媒体の貸し出しの禁止に併せ、遊技媒体や有価媒体の払い出しも禁止する。
【００５７】
本実施形態に係る遊技者離席報知システム４は、以上の通りである。次に、遊技者離席報知システム４の作動について、図４を参照しつつ説明する。なお、以下の作動に関する説明は、鍵体配置部４０１に正の鍵体４００（遊技機１と対応づけられた鍵体４００であって、制御部４０２に予め登録された鍵体４００）が配置され、遊技者が遊技をしている状態からの説明である。
【００５８】
遊技者離席報知システム４（離席監視装置４０）において、制御部４０２は、遊技者の離席の意思表示の有無を監視する。すなわち、制御部４０２は、遊技者による選択手段（タッチパネル式スイッチ）４０４の操作の有無を監視する（Ｓ１）。
【００５９】
本実施形態において、制御部４０２は、遊技者による選択手段（タッチパネル式スイッチ）４０４の操作の有無として、遊技者による離席理由の選択の有無を監視する（Ｓ１）。
【００６０】
そして、遊技者が選択手段４０４を操作すると（Ｓ１で有）、制御部４０２は、記憶部に記憶された情報の中から、報知情報（報知態様）及び離席情報（離席許容時間）を抽出する（Ｓ２）。
【００６１】
本実施形態では、遊技者が選択手段４０４によって離席理由を選択すると（Ｓ１で有）、制御部４０２は、記憶部に記憶された複数の報知態様（報知情報）及び複数の離席許容時間（離席情報）の中から、遊技者が選択した離席理由に対応する報知態様（報知情報）及び離席許容時間（離席情報）を抽出する（Ｓ２）。
【００６２】
本実施形態に係る遊技者離席報知システム４では、遊技者が離席する際、遊技者が鍵体配置部４０１に配置された鍵体４００（制御部４０２に対して予め登録された鍵体４００）を持参のうえ離席することを前提にしている。
【００６３】
これに伴い、制御部４０２は、認識部４０６による鍵体４００の認識結果に基づき、鍵体配置部４０１に対する鍵体４００の有無を判断する（Ｓ３）。すなわち、制御部４０２は、認識部４０６による鍵体４００の認識の有無（読み取りの有無）によって、鍵体配置部４０１に対する鍵体４００の有無を判断する（Ｓ３）。
【００６４】
そして、制御部４０２は、認識部４０６が予め登録された鍵体４００を認識する場合には、鍵体配置部４０１に鍵体４００が有る（遊技者が遊技続行中）と判断し（Ｓ３で有）、認識部４０６が予め登録された鍵体４００を認識しない場合には、鍵体配置部４０１に鍵体４００が無い（遊技者が離席中）と判断する（Ｓ３で無）。
【００６５】
制御部４０２は、鍵体配置部４０１に鍵体４００が無い（遊技者が離席中）と判断した場合（Ｓ３で無）、先に抽出した報知情報を含む離席報知信号を報知手段４０３に向けて出力する。本実施形態において、制御部４０２は、当該離席監視装置４０の報知手段４０３の他、通信ポート４０５を介して外部（本実施形態においては、呼出装置３の報知手段３０）に対しても離席報知信号を出力する。
【００６６】
これに伴い、離席監視装置４０の報知手段４０３及び呼出装置３の報知手段３０は、遊技者が離席中である旨の報知を行う（Ｓ４）。本実施形態において、離席理由に応じた報知情報（報知態様）が設定（抽出）されているため、離席監視装置４０の報知手段４０３及び呼出装置３の報知手段３０は、制御部４０２からの離席報知信号に基づき、遊技者の離席理由に応じた内容の報知を行う（Ｓ４）。
【００６７】
本実施形態において、制御部４０２は、離席報知信号の出力に併せ、先に抽出した離席情報を含む離席情報信号を報知手段４０３に向けて出力する。本実施形態において、制御部４０２は、当該離席監視装置４０の報知手段４０３の他、通信ポート４０５を介して外部（本実施形態においては、呼出装置３の報知手段３０）に対しても離席情報信号を出力する。
【００６８】
これに伴い、離席監視装置４０の報知手段４０３及び呼出装置３の報知手段３０は、離席許容時間及び離席許容時間に関連する情報の少なくともいずれか一方についても報知を行う（Ｓ４）。本実施形態において、離席監視装置４０の報知手段４０３及び呼出装置３の報知手段３０は、離席許容時間及び離席許容時間に関連する情報の報知を行う（Ｓ４）
【００６９】
本実施形態において、離席理由に応じた離席情報（離席許容時間）が設定（抽出）されているため、離席監視装置４０の報知手段４０３及び呼出装置３の報知手段３０は、制御部４０２からの離席情報信号に基づき、遊技者の離席理由に応じた離席許容時間及び離席許容時間に関連する情報についての報知を行う（Ｓ４）。なお、離席許容時間に関連する情報とは、離席情報（離席許容時間）に基づいて導出される情報であり、例えば、離席許容時間が満了するまでの残り時間に関する情報等を意味する。
【００７０】
これに併せ、制御部４０２は、通信ポート４０５を介して接続された遊技媒体貸出装置２に対し、遊技媒体の貸し出しや有価媒体の払い出しを停止するための停止指示信号を出力する。遊技媒体貸出装置２は、制御部４０２からの停止指示信号に基づいてロックされ、遊技媒体の貸し出しや有価媒体の払い出しを停止する（Ｓ５）。
【００７１】
これらの処理に併せ、制御部４０２は、鍵体配置部４０１に鍵体４００が無いと判断した時点からの経過時間を把握するために、タイマーカウントを開始（スタート）する（Ｓ６）。
【００７２】
そして、制御部４０２は、タイマーカウントの結果が抽出した離席許容時間を経過したか否かを判断する（Ｓ７）。
【００７３】
制御部４０２は、タイマーカウントの結果が離席許容時間を経過していないと判断した場合（Ｓ７でＮＯ）、対応する遊技機１に対する操作の有無を判断する（Ｓ８）。この遊技機１に対する操作の有無は、遊技機１の稼働に関する情報に基づいて判断される。本実施形態において、遊技機１に対する操作の有無は、呼出装置３が遊技機１から取得した情報（例えば、遊技情報）が呼出装置３から通信ポート４０５を介して制御部４０２に入力されるか否かで判断される。
【００７４】
制御部４０２は、遊技機１の稼働に関する情報（信号）を受けた場合、第三者による遊技機１の操作があったと判断し（Ｓ８で有）、遊技機１の稼働に関する情報（信号）を受けていない場合、第三者による遊技機１の操作がないと判断する（Ｓ８で無）。
【００７５】
制御部４０２は、第三者による遊技機１の操作があったと判断した場合（Ｓ８で有）、離席中の遊技機１に対して他の遊技者が操作（遊技）をしている旨を報知するための誤操作警告信号を報知手段４０３に向けて出力する。本実施形態において、制御部４０２は、当該離席監視装置４０の報知手段４０３の他、通信ポート４０５を介して外部（本実施形態においては、呼出装置３の報知手段３０）に対しても誤操作警告信号を出力する。
【００７６】
これに伴い、離席監視装置４０の報知手段４０３及び呼出装置３の報知手段３０は、制御部４０２からの誤操作警告信号に基づき、第三者である他の遊技者が離席中の遊技機１に対して操作している旨（離席中の遊技機１である旨）を報知（警告）する（Ｓ１４）。なお、本実施形態において、誤操作警告信号には、誤操作である旨の報知に関連する画像情報、音声情報、及び発光情報が含まれる。
【００７７】
この状態で、制御部４０２は、対応する遊技機１に対する操作の有無を判断する（Ｓ１５）。すなわち、制御部４０２は、第三者による操作の続行の有無を判断する（Ｓ１５）。この遊技機１に対する操作の有無は、先の場合と同様、遊技機１の稼働に関する情報に基づいて判断される。本実施形態においては、遊技機１に対する操作の有無は、呼出装置３が遊技機１から取得した情報（例えば、遊技情報）が呼出装置３から通信ポート４０５を介して制御部４０２に入力されるか否かで判断される。
【００７８】
本実施形態において、制御部４０２は、遊技機１の稼働に関する情報（信号）を受けた場合、第三者による遊技機１に対する操作が有る（続行されている）と判断し（Ｓ１５で有）、遊技機１の稼働に関する情報（信号）を受けていない場合、第三者による遊技機１に対する操作が無い（中止された）と判断する（Ｓ１５で無）。
【００７９】
そして、制御部４０２は、第三者による遊技機１に対する操作が続行されていると判断している間（Ｓ１５で有）、離席監視装置４０の報知手段４０３及び呼出装置３の報知手段３０による報知（警告）を続行させ、第三者による遊技機１に対する操作が中止されたと判断した場合（Ｓ１５で無）、離席監視装置４０の報知手段４０３及び呼出装置３の報知手段３０による報知（警告）を解除する（Ｓ１６）。
【００８０】
これに併せ、離席監視装置４０の報知手段４０３及び呼出装置３の報知手段３０は、離席中である旨を報知する。そして、離席監視装置４０の報知手段４０３及び呼出装置３の報知手段３０による報知（警告）を解除すると、制御部４０２の処理は、タイマーカウントの結果が離席許容時間を経過したか否かを判断するステップ（Ｓ７）に戻る。
【００８１】
制御部４０２は、タイマーカウントの結果が離席許容時間を経過していないと判断した後に（Ｓ７でＮＯ）、第三者による遊技機１に対する操作がないと判断した場合（Ｓ８で無）、鍵体配置部４０１に対する鍵体４００の有無を判断する（Ｓ９）。
【００８２】
制御部４０２による鍵体４００の有無の判断は、認識部４０６による鍵体４００の単なる認識の有無に基づく。鍵体配置部４０１に鍵体４００が無いと制御部４０２が判断した場合（Ｓ９で無）、制御部４０２の処理は、タイマーカウントの結果が離席許容時間を経過したか否かを判断するステップ（Ｓ７）に戻る。
【００８３】
これに対し、鍵体配置部４０１に鍵体４００が有ると制御部４０２が判断した場合（Ｓ９で有）、制御部４０２は、鍵体配置部４０１に配置された鍵体４００が予め登録された鍵体４００（離席中の遊技者が所持する鍵体４００）であるか否かを判断する（Ｓ１０）。この判断については、認識部４０６による鍵体４００の認識結果に含まれる鍵体４００の情報と、制御部４０２（記憶部）に記憶された鍵体４００の情報とが一致するか否かによって行われる。
【００８４】
そして、鍵体配置部４０１に配置された鍵体４００が予め登録された鍵体４００と一致しない（鍵体配置部４０１に配置された鍵体４００が予め登録された鍵体４００でない）と制御部４０２が判断した場合（Ｓ１０で不一致）、遊技者が離席中である旨を報知するための離席報知信号を離席監視装置４０の報知手段４０３に向けて出力する。
【００８５】
本実施形態では、鍵体配置部４０１に配置された鍵体４００が予め登録された鍵体４００と一致しない場合において、異なる遊技機１である旨（権限のない遊技機１に対して遊技をしようとしている旨）を報知（警告）するための誤認報知信号を離席監視装置４０の報知手段４０３に向けて出力する。
【００８６】
本実施形態において、制御部４０２は、当該離席監視装置４０の報知手段４０３の他、通信ポート４０５を介して外部（本実施形態においては、呼出装置３の報知手段３０）に対しても誤認報知信号を出力する。これに伴い、離席監視装置４０の報知手段４０３及び呼出装置３の報知手段３０は、制御部４０２からの誤認報知信号に基づき、異なる遊技機１である旨（権限のない遊技機１に対して遊技をしようとしている旨）を報知（警告）する（Ｓ１７）。なお、誤認報知信号には、異なる遊技機１である旨（権限のない遊技機１に対して遊技をしようとしている旨）を警告するための画像情報、音声情報、及び発光情報が含まれる。
【００８７】
この状態で、制御部４０２は、鍵体配置部４０１に対する鍵体４００の有無を判断する（Ｓ１８）。すなわち、制御部４０２は、他の遊技者（第三者）の離席の有無を判断する（Ｓ１８）。この鍵体４００の有無は、認識部４０６による鍵体４００の認識の有無に基づいて判断される。すなわち、制御部４０２は、認識部４０６から信号を受けた場合、他の遊技者が着席している（遊技機１に対して操作を続行しようとしている）と判断し（Ｓ１８で有）、認識部４０６からの信号を受けていない場合、他の遊技者が離席した（遊技機１に対する操作が中止された）と判断する（Ｓ１８で無）。
【００８８】
そして、制御部４０２は、他の遊技者が着席している（遊技機１に対して操作を続行しようとしている）と判断している間（Ｓ１８で有）、報知手段４０３による報知（警告）を続行させ、他の遊技者が離席した（遊技機１に対する操作が中止された）と判断した場合（Ｓ１８で無）、報知手段４０３による報知（警告）を解除する（Ｓ１９）。これに併せ、離席監視装置４０の報知手段４０３及び呼出装置３の報知手段３０は、離席中である旨を報知する。そして、報知手段４０３による報知（警告）を解除すると、制御部４０２の処理は、タイマーカウントの結果が離席許容時間を経過したか否かを判断するステップ（Ｓ７）に戻る。
【００８９】
これに対し、鍵体配置部４０１に配置された鍵体４００が登録された鍵体４００と一致する（鍵体配置部４０１に配置された鍵体４００が予め登録された鍵体４００である）と制御部４０２が判断した場合（Ｓ１０で一致）、離席していた遊技者が離席許容時間内に遊技機１まで戻ってきた（遊技を再開しようとしている）として、タイマーカウントをストップする（Ｓ１１）。
【００９０】
これに併せ、制御部４０２は、離席監視装置４０の報知手段４０３に向けて離席中である旨の報知を解除するための解除信号を出力する。本実施形態において、離席監視装置４０の報知手段４０３の他、通信ポート４０５を介して外部（本実施形態においては、呼出装置３の報知手段３０）に対しても報知させているため、これらに対して解除信号を出力する。
【００９１】
これに基づき、離席監視装置４０の報知手段４０３及び呼出装置３の報知手段３０による離席中である旨の報知が解除される（Ｓ１２）。また、制御部４０２は、遊技媒体貸出装置２の遊技媒体の貸し出しや有価媒体の払い出しの停止を解除する旨の解除信号を、通信ポート４０５を介して遊技媒体貸出装置２に向けて出力する。これにより、遊技媒体貸出装置２に対するロックが解除され（Ｓ１３）、遊技媒体の貸し出しや有価媒体の払い出しが可能となり、遊技者の遊技が再開可能となる（ＥＮＤ）。
【００９２】
これらの処理が離席許容時間内に行われなかった場合、制御部４０２は、離席許容時間を経過したと判断し（Ｓ７でＹＥＳ）、タイマーカウントをストップする（Ｓ２０）。
【００９３】
これに伴い、制御部４０２は、離席監視装置４０の報知手段４０３に対し、離席中である旨の報知を解除するための解除信号を出力するとともに、離席許容時間を経過した旨を報知するための警告報知信号を出力する。ここでも、制御部４０２は、報知手段として、離席監視装置４０の報知手段４０３の他、通信ポート４０５を介して外部（本実施形態においては、呼出装置３の報知手段３０）に対しても、解除信号及び警告報知信号を出力する。なお、本実施形態において、警告報知信号には、離席許容時間を経過した旨の報知に関連する画像情報、音声情報、及び発光情報等が含まれる。
【００９４】
これにより、離席監視装置４０の報知手段４０３及び呼出装置３の報知手段３０は、離席中である旨の報知を解除する（Ｓ２１）のに併せ、警告報知信号に基づき、離席許容時間を経過した旨を報知（警告）する（Ｓ２２）。
【００９５】
そして、制御部４０２は、離席許容時間を経過した旨の報知（警告）が解除されたか否かを判断する（Ｓ２３）。この報知（警告）の解除は、係員による機械的又は電気的なリセット操作で行うようにしてもよいが、本実施形態においては、鍵体配置部４０１に配置された鍵体４００が予め登録された鍵体４００と一致した場合に報知（警告）が解除され（Ｓ２３でＹＥＳ）、鍵体配置部４０１に配置された鍵体４００が予め登録された鍵体４００と不一致の場合に報知（警告）が継続される（Ｓ２３でＮＯ）。
【００９６】
すなわち、離席中の遊技者が所持する鍵体４００、又は、この鍵体４００の予備の鍵体４００（遊技場Ｈの係員が所持するスペア―キー）が鍵体配置部４０１に配置されたときに、報知（警告）が解除されるようになっている（Ｓ２３でＹＥＳ）。
【００９７】
従って、離席許容時間を経過した後に遊技機１に戻ってきた遊技者が所持する鍵体４００を鍵体配置部４０１に配置した場合、或いは、係員が予備の鍵体４００を鍵体配置部４０１に配置した場合に、離席監視装置４０の報知手段４０３及び呼出装置３の報知手段３０による離席許容時間を経過した旨の報知（警告）が解除される（Ｓ２３でＹＥＳ）。
【００９８】
そして、離席許容時間を経過した旨の報知が解除されると、制御部４０２は、遊技媒体貸出装置２の遊技媒体の貸し出しや有価媒体の払い出しの停止を解除するための解除信号を、通信ポート４０５を介して遊技媒体貸出装置２に向けて出力する。これにより、遊技媒体貸出装置２のロックが解除され（Ｓ１３）、遊技媒体の貸し出しや有価媒体の払い出しが可能となり、遊技者の遊技が再開可能となる（ＥＮＤ）。
【００９９】
このようにすれば、離席時間が離席許容時間を超えた場合、係員が予備の鍵体４００を鍵体配置部４０１に配置すれば、報知（警告）の解除と遊技媒体貸出装置２のロックを解除できるため、係員が遊技媒体貸出装置２に残った有価媒体や遊技機１に残る遊技媒体の払い出し等を行うことができる上に、その予備の鍵体４００を鍵体配置部４０１に配置しておくことで、第三者に対して遊技機１を開放することが可能となる。
【０１００】
また、係員が予備の鍵体４００を鍵体配置部４０１に配置する前に、離席中の遊技者が遊技機１に戻って来た場合、遊技者が鍵体４００を鍵体配置部４０１に配置すれば、報知（警告）の解除と遊技媒体貸出装置２のロックを解除できるため、実質的に遊技を再開することもできる。
【０１０１】
次に、本発明の第二実施形態について、添付図面を参照しつつ説明する。なお、本実施形態に係る遊技者離席報知システム４は、図５及び図６に示す如く、第一実施形態に係る遊技者離席報知システム４と同様に、離席監視装置４０を備えている。本実施形態に係る離席監視装置４０は、外部に対する通信の態様を除いて第一実施形態の離席監視装置４０と同一である。これに伴い、離席監視装置４０については、第一実施形態の離席監視装置４０の説明を引用してここでの説明を割愛するとともに、第一実施形態と同一の構成又は相当する構成については、第一実施形態と同一名称及び同一符号を付すこととする。
【０１０２】
本実施形態に係る遊技者離席報知システム４は、図５に示す如く、離席監視装置４０に加え、離席監視装置４０から離れた位置に設置される情報提示装置４１を備える。
【０１０３】
情報提示装置４１は、離席監視装置４０に対して直接的又は間接的に通信可能に構成される。本実施形態において、情報提示装置４１は、離席監視装置４０に対し、該離席監視装置４０に接続された呼出装置３を介して間接的に通信可能に構成される。ここで、本実施形態の遊技者離席報知システム４の前提とする遊技場Ｈのシステムについて概略説明する。
【０１０４】
かかる遊技場Ｈでは、第一実施形態と同様に、複数の遊技機１のそれぞれに対して対応する呼出装置３が接続される。各遊技機１に対応する呼出装置３は、管理コンピュータ５に対して通信可能に接続される。
【０１０５】
なお、複数の呼出装置３同士の接続及び呼出装置３と管理コンピュータ５との接続の態様には、種々のパターンがあるが、ここでは、単一の通信線Ｌに対して複数の呼出装置３及び管理コンピュータ５が接続されている。これにより、この遊技場Ｈでは、呼出装置３を介して遊技機１の遊技情報等を管理コンピュータ５に送信可能に構成されるとともに、管理コンピュータ５から呼出装置３を介して遊技機１に関する種々の情報を監視できるようになっている。
【０１０６】
図６に示す如く、本実施形態の離席監視装置４０は、第一実施形態と同様に、通信ポート４０５に対して対応する呼出装置３及び遊技媒体貸出装置２が通信可能に接続される。
【０１０７】
図５に戻り、情報提示装置４１は、複数の呼出装置３の繋がる単一の通信線Ｌに接続され、複数の呼出装置３と通信可能に接続される。これにより、情報提示装置４１は、呼出装置３を介して該呼出装置３と対応する離席監視装置４０と通信可能に接続される。本実施形態において、単一の通信線Ｌに対して管理コンピュータ５が接続されるため、情報提示装置４１は、管理コンピュータ５に対しても通信可能に接続される。
【０１０８】
図７に示す如く、情報提示装置４１は、離席監視装置４０の制御部４０２に対して直接的又は間接的に通信可能な遠隔制御部４１０と、遠隔制御部４１０に電気的に接続された鍵体認識部４１１であって、遊技者の所持する鍵体４００を認識可能な鍵体認識部４１１と、遊技者が必要とする離席に関する情報を報知する情報報知手段４１２とを含む。本実施形態において、情報提示装置４１は、上述の如く、通信線Ｌに接続されるため、遠隔制御部４１０及び鍵体認識部４１１に加え、通信線Ｌに対して接続される通信ポート４１３であって、遠隔制御部４１０に接続された通信ポート４１３を含む。
【０１０９】
遠隔制御部４１０は、鍵体認識部４１１が鍵体４００を認識したときに、該認識した鍵体４００と対応する離席監視装置４０と通信し、該離席監視装置４０から出力された離席情報信号（離席情報）に基づいて離席許容時間及び該離席許容時間に関連する情報の少なくとも何れか一方を情報報知手段４１２に報知させる。
【０１１０】
より具体的に説明すると、遠隔制御部４１０は、図示しない演算部と、図示しない記憶部とを備える。記憶部には、該情報提示装置４１を作動させるためにプログラム等が記憶される。情報提示装置４１において、演算部及び記憶部は、互いに接続され、演算部は、記憶部に記憶されたプログラムに基づいて、報知等についての処理を行う。なお、通信ポート４１３は、演算部に接続されている。
【０１１１】
本実施形態において、鍵体４００（カードキー）は、第一実施形態と同様に、ＩＣカードである。これに伴い、鍵体認識部４１１には、鍵体４００（ＩＣカード）を読み取るリーダー、又は鍵体４００（ＩＣカード）に対して読み書きするリード／ライト装置が採用されている。すなわち、情報提示装置４１の鍵体４００の認識には、鍵体４００及び鍵体認識部４１１が近距離通信を行う、いわゆる、ＮＦＣ（近距離無線通信規格）が採用される。鍵体認識部４１１は、遠隔制御部４１０に接続され、認識した鍵体４００の情報を遠隔制御部４１０に送るようになっている。
【０１１２】
情報報知手段４１２は、外部に向けて離席中である旨を報知可能に構成される。本実施形態において、情報報知手段４１２には、画像を表示する表示部４１２ａが含まれる。表示部４１２ａは、遠隔制御部４１０に接続される。これに伴い、表示部４１２ａは、遠隔制御部４１０の指示に基づき、離席に関する情報を画像によって報知する。
【０１１３】
本実施形態において、表示部４１２ａには、パネル型のモニターが採用されている。すなわち、表示部４１２ａには、液晶パネル又は有機ＥＬパネルが採用される。
【０１１４】
離席監視装置４０の作動は、第一実施形態と同一である。本実施形態に係る遊技者離席報知システム４において、離席中の遊技者が遊技機１から離れた場所にある情報提示装置４１の鍵体認識部４１１に接近させると、鍵体認識部４１１が鍵体４００を認識する。
【０１１５】
遠隔制御部４１０は、認識した鍵体４００の情報と一致する情報を保有する離席監視装置４０を探索する。すなわち、遠隔制御部４１０は、通信ポート４１３に接続された通信線Ｌを介して該通信線Ｌに接続された複数の離席監視装置４０と通信し、該複数の離席監視装置４０の中から認識した鍵体４００の情報を保有する離席監視装置４０を見つけ出す。
【０１１６】
そして、情報提示装置４１(遠隔制御部４１０）は、見つけた離席監視装置４０と通信を行い、離席監視装置４０から遊技者の離席時間及び離席時間に関連する情報の少なくとも何れか一方を報知するための離席情報信号（離席情報）を取得する。
【０１１７】
遠隔制御部４１０は、離席監視装置４０から取得した離席情報信号（離席情報）に基づき、離席に関する情報として、離席許容時間及び離席許容時間に関連する情報の少なくともいずれか一方を情報報知手段４１２（表示部４１２ａ）に報知（表示）させる。本実施形態において、遠隔制御部４１０は、離席監視装置４０から取得した離席情報信号（離席情報）に基づき、離席に関する情報として、離席許容時間及び離席許容時間に関連する情報を情報報知手段４１２（表示部４１２ａ）に報知（表示）させる。
【０１１８】
なお、本実施形態において、情報報知手段４１２（表示部４１２ａ）は、離席許容時間を経過した後に離席監視装置４０から離席情報信号を取得した場合、離席許容時間を経過した旨を報知する。これにより、離席中の遊技者は、自身が専有している遊技機１にまで戻ることなく、自身の離席に関する情報を確認することができる。
【０１１９】
以上のように、各実施形態に係る遊技者離席報知システム４は、遊技場Ｈに設置された遊技機１に対応して設置される離席監視装置４０を備え、離席監視装置４０は、鍵体４００を配置可能な鍵体配置部４０１と、鍵体配置部４０１に対する鍵体４００の有無の判断及び鍵体配置部４０１に配置された鍵体４００が予め登録された鍵体４００であるか否かの判断を行う制御部４０２と、を含み、制御部４０２は、予め登録された鍵体４００が鍵体配置部４０１に無いと判断した場合、遊技者が離席中である旨を報知するための離席報知信号を出力する。
【０１２０】
上記構成によれば、遊技機１で遊技をしている遊技者が離席する際に、離席監視装置４０の鍵体配置部４０１に配置された鍵体４００を持って離席すれば、予め登録された鍵体４００が鍵体配置部４０１には無い状態になる。
【０１２１】
これに伴い、制御部４０２は、予め登録された鍵体４００が鍵体配置部４０１に無いと判断し、離席報知信号を出力する。従って、制御部４０２からの離席報知信号に基づき、報知手段４０３，３０による報知が可能となる。これにより、他の遊技者に対して離席中である旨を報知できる。
【０１２２】
また、他の遊技者が他の遊技機１に対応する鍵体４００を所持している場合、他の遊技者が誤って自身の鍵体４００を鍵体配置部４０１に配置する可能性があるが、他の遊技者の所持する鍵体４００は、予め登録された鍵体４００ではない。
【０１２３】
従って、他の遊技者が誤って自身の鍵体４００を鍵体配置部４０１に配置した場合、制御部４０２は、予め登録された鍵体４００が鍵体配置部４０１に無いと判断し、離席報知信号を出力する。従って、制御部４０２からの離席報知信号に基づき、報知手段４０３，３０が報知する、或いは報知を続行する。これにより、他の遊技者に対して離席中である旨を報知できる。
【０１２４】
このように、本発明に係る遊技者離席報知システム４によれば、遊技者が係員を呼び出したり、係員の到着を待ったりすることなく、離席中である旨を報知できるため、他の遊技者が、離席中の遊技機１で遊技をすることが抑制乃至防止される。
【０１２５】
上記各実施形態において、制御部４０２は、遊技機１に隣接して設置された遊技媒体貸出装置２であって、遊技機１で遊技をするための遊技媒体を貸し出すための遊技媒体貸出装置２に対して通信可能に構成され、予め登録された鍵体４００が鍵体配置部４０１に無いと判断した場合、遊技媒体貸出装置２に向けて遊技媒体の貸し出しを停止させるための停止指示信号を出力する。
【０１２６】
上記構成によれば、遊技者が鍵体４００を持って離席している状態において、制御部４０２は、予め登録された鍵体４００が鍵体配置部４０１に無いと判断し、遊技媒体貸出装置２に向けて遊技媒体の貸し出しを停止させるための停止指示信号を出力する。従って、制御部４０２からの停止指示信号に基づき、遊技媒体貸出装置２による遊技媒体の貸し出しの停止が可能となる。
【０１２７】
これにより、離席中に遊技機１に対応する遊技媒体貸出装置２から遊技媒体が貸し出されてしまうことを阻止することができる。すなわち、他の遊技者が遊技媒体貸出装置２から遊技媒体を借り受け、離席中の遊技機１で遊技を開始することが抑制乃至防止される。
【０１２８】
また、他の遊技者が他の遊技機１に対応する鍵体４００を持っている場合、誤ってこの鍵体４００を鍵体配置部４０１に配置しても、その鍵体４００は予め登録された鍵体４００ではないため、制御部４０２は、予め登録された鍵体４００が鍵体配置部４０１に無いと判断し、遊技媒体貸出装置２に向けて遊技媒体の貸し出しを停止させるための停止指示信号を出力する。
【０１２９】
従って、制御部４０２からの停止指示信号に基づいて遊技媒体貸出装置２が遊技媒体の貸し出しを停止する、或いは貸し出しの停止を続行する。
【０１３０】
これにより、離席中に遊技機１に対応する遊技媒体貸出装置２から遊技媒体が貸し出されてしまうことを阻止することができる。すなわち、他の遊技者が遊技媒体貸出装置２から遊技媒体を借り受け、離席中の遊技機１で遊技を開始することが抑制乃至防止される。
【０１３１】
上記各実施形態において、制御部４０２は、遊技機１に対する操作の有無を判断可能に構成され、予め登録された鍵体４００が鍵体配置部４０１に無いと判断した状態で、遊技機１が操作されたと判断した場合に、他の遊技者が遊技機１を操作している旨を報知するための誤操作警告信号を出力する。
【０１３２】
上記構成によれば、制御部４０２は、予め登録された鍵体４００が鍵体配置部４０１に無いと判断した状態、すなわち、遊技者が離席中と判断した状態で、遊技機１が操作されたと判断した場合に、他の遊技者が遊技機１を操作している旨を報知するための誤操作警告信号を出力する。従って、制御部４０２からの誤操作警告信号に基づき、報知手段４０３，３０による報知が可能となる。これにより、他の遊技者に対して権限のない遊技機１で遊技をしようとしている旨を報知することができる。
【０１３３】
上記各実施形態において、離席監視装置４０は、遊技者の離席理由を選択するための選択手段４０４を更に含み、制御部４０２は、選択手段４０４によって選択された離席理由に応じた離席許容時間を抽出し、該離席許容時間及び該離席許容時間に関連する情報の少なくとも何れか一方を報知するための離席情報信号を出力する。
【０１３４】
上記構成によれば、離席監視装置４０が遊技者の離席理由を選択するための選択手段４０４を含むため、遊技者が離席する際に選択手段４０４で自身の離席理由を選択できる。この遊技者の選択を前提に、制御部４０２は、選択手段４０４によって選択された離席理由に応じた離席許容時間を抽出し、該離席許容時間及び該離席許容時間に関連する情報の少なくとも何れか一方を報知するための離席情報信号を出力する。
【０１３５】
従って、制御部４０２からの離席情報信号に基づき、報知手段４０３，３０による報知が可能となる。これにより、離席中の遊技者は、自身の離席許容時間を把握したり、離席許容時間に関連する情報（例えば、離席許容時間までの残り時間）を把握したりすることができる。
【０１３６】
上記第二実施形態において、遊技者離席報知システム４は、離席監視装置４０から離れた位置に設置される情報提示装置４１を更に備え、情報提示装置４１は、離席監視装置４０の制御部４０２に対して直接的又は間接的に通信可能な遠隔制御部４１０と、遠隔制御部４１０に電気的に接続された鍵体認識部４１１であって、遊技者の所持する鍵体４００を認識可能な鍵体認識部４１１と、離席に関する情報を報知する情報報知手段４１２とを含み、遠隔制御部４１０は、鍵体認識部４１１が鍵体４００を認識したときに、該認識した鍵体４００と対応する離席監視装置４０と通信し、該離席監視装置４０から出力された離席情報信号に基づいて離席許容時間及び該離席許容時間に関連する情報の少なくとも何れか一方を情報報知手段４１２に報知させる。
【０１３７】
このようにすれば、離席中の遊技者が遊技機１から離れた場所にいても、遊技機１から離れた場所にある情報提示装置４１（情報報知手段４１２）の報知により、離席中の遊技者は、自身の離席許容時間を把握したり、離席許容時間に関連する情報（例えば、離席許容時間までの残り時間）を把握したりすることができる。
【０１３８】
具体的には、情報提示装置４１は、遊技機１から離れた位置に設置されるため、遊技者は、離席中の遊技機１から離れた場所に居るときに、近くの情報提示装置４１にアクセスできる。そして、遠隔制御部４１０は、鍵体認識部４１１が鍵体４００を認識したときに、該認識した鍵体４００と対応する離席監視装置４０と通信するため、離席中の遊技機１に対応した離席情報信号を取得する。
【０１３９】
これに伴って、情報報知手段４１２は、遠隔制御部４１０の指示により、離席情報信号に基づく離席許容時間及び該離席許容時間に関連する情報の少なくとも何れか一方を報知する。これにより、離席中の遊技者は、遊技機１に戻ることなく、自身の離席許容時間を把握したり、離席許容時間に関連する情報（例えば、離席許容時間までの残り時間）を把握したりすることができる。
【０１４０】
従って、上記各実施形態に係る遊技者離席報知システム４によれば、遊技者の意思で自由に離席することができ、離席中の遊技機１に対して他の遊技者が遊技をすることを抑制乃至防止することができるという優れた効果を奏し得る。
【０１４１】
なお、本発明は、上記各実施形態に限定されるものではなく、本発明の要旨を逸脱しない範囲において、適宜変更を加え得ることは勿論である。
【０１４２】
上記各実施形態において、鍵体４００にＩＣカードが採用されたが、これに限定されない。例えば、鍵体４００は、磁気カードや、穴あきカード等の各種カードキーや、機械的な鍵（キー）であってもよい。
【０１４３】
また、ＮＦＣ機能やＢｌｕｅｔｏｏｔｈ（登録商標）等の通信機能を有する携帯電話（スマートフォン）の普及を考慮すれば、遊技者が所持する携帯電話（スマートフォン）を鍵体４００としてもよい。ここで言及するまでもないが、離席監視装置４０の認識部４０６は、採用される鍵体４００に応じて該鍵体４００を認識できるものが採用されることは勿論である。
【０１４４】
ＮＦＣ機能やＢｌｕｅｔｏｏｔｈ（登録商標）等の通信機能を有する携帯電話（スマートフォン）の普及を考慮すれば、遊技者が所持する携帯電話（スマートフォン）を鍵体４００とする場合、携帯電話（スマートフォン）が遊技者個人の所持品であり、単一の遊技機１との関連性がないため、例えば、遊技者が遊技を開始する際に、鍵体配置部４０１に鍵体４００（携帯電話（スマートフォン））を配置することで、認識部４０６を介して遊技機１と対応付けするアプリケーションを携帯電話（スマートフォン）に記憶させておけばよい。
【０１４５】
上記各実施形態において、離席監視装置４０の選択手段４０４にタッチパネル式スイッチが採用されたが、これに限定されない。例えば、選択手段４０４は、機械式の押しボタン式スイッチであってもよい。また、上記各実施形態において、特に言及しなかったが、選択手段４０４による離席理由の選択は、表示部４０３ａに表示された複数の離席理由の中から何れかを選択するようにしてもよいし、選択手段４０４（スイッチ）を押し操作する毎に、離席理由が変更される切り替え式の選択方式であってもよい。
【０１４６】
上記各実施形態において、離席監視装置４０が遊技者の離席理由を選択するための選択手段４０４を備えたが、これに限定されない。例えば、離席監視装置４０が選択手段４０４を備えることなく、制御部４０２が、認識部４０６による鍵体４００の認識の有無に基づき、鍵体配置部４０１に対する鍵体４００の有無（予め登録された鍵体４００の有無）を判断し、鍵体配置部４０１に予め登録された鍵体４００が無いと判断することで、離席中である旨を報知手段４０３に報知させるようにしてもよい。このように、離席監視装置４０が選択手段４０４を備えない場合には、離席許容時間を設定しなくてもよいが、離席監視装置４０が選択手段４０４を備えずに離席許容時間を設定する場合、離席許容時間は一律に設定される。
【０１４７】
上記各実施形態において、離席監視装置４０が報知手段４０３を備えたが、これに限定されない。例えば、離席監視装置４０は、外部の機器が備えた報知手段や独立した報知手段に向けて制御部４０２から離席報知信号等を出力し、その離席報知信号に応じた内容を外部の機器が備えた報知手段や独立した報知手段によって報知させるようにしてもよい。具体的には、離席監視装置４０の制御部４０２に対して通信ポート４０５を介して接続される呼出装置３のモニター３１及び音声出力装置の少なくとも何れか一方が当該遊技者離席報知システム４の報知手段に兼用されてもよい。
【０１４８】
この場合において、例えば、呼出装置３のモニター３１、音声出力装置、及び発光部３２の少なくとも何れか一つが遊技者の有無（着席状態・離席状態）に関する報知を外部（他の遊技者や係員）に対して報知する。また、遊技機１がモニターや音声出力装置を有し、該遊技機１に対する離席監視装置４０の直接的又は間接的な接続が許容される場合、遊技機１のモニター及び音声出力装置の少なくとも何れか一方が当該遊技者離席報知システム４の報知手段に兼用されてもよい。この場合において、遊技機１のモニター及び音声出力装置の少なくとも何れか一方が遊技者の有無（着席状態・離席状態）に関する報知を外部（他の遊技者や係員）に対して報知する。
【０１４９】
また、これとは逆に、図８に示す如く、離席監視装置４０が報知手段４０３を備えることを前提に、該報知手段４０３のみに離席に関する情報を報知させてもよい。すなわち、離席監視装置４０は、呼出装置３や遊技媒体貸出装置２から独立した構成にされ、自身の報知手段４０３によって、遊技者や係員に対して離席中であることを報知するようにしてもよい。
【０１５０】
また、上記各実施形態において、離席監視装置４０が報知手段４０３として、表示部４０３ａ、音声出力部４０３ｂ、及び発光報知部４０３ｃを備えたが、図９に示す如く、離席監視装置４０の報知手段４０３は、表示部４０３ａ、音声出力部４０３ｂ、及び発光報知部４０３ｃの少なくとも何れか一つであればよい。この場合において、離席監視装置４０は、図８に示す離席監視装置４０と同様に呼出装置３や遊技媒体貸出装置２から独立した構成にしてもよいし、第一実施形態及び第二実施形態と同様に、呼出装置３に対して通信可能に接続されてもよい。
【０１５１】
また、上記各実施形態において、離席監視装置４０は、遊技機１に対する操作の情報を、遊技機１に接続された呼出装置３を介して取得したが、これに限定されない。例えば、離席監視装置４０が遊技機１に対して通信可能に直接接続することが許容されるのであれば、離席監視装置４０は、遊技機１の操作の有無を判断するために、遊技機１に直接接続されてもよい。
【０１５２】
上記各実施形態で特に言及しなかったが、離席監視装置４０の制御部４０２の出力する信号（離席報知信号、停止指示信号、誤操作警告信号、離席情報信号）は、その信号によって達成する目的（例えば、報知手段４０３，３０による報知や遊技媒体貸出装置２による遊技媒体の貸し出しの停止（ロック）等）を実行する間、継続的に出力していてもよいし、その目的の実行を開始する時のトリガー信号として出力してもよい。
【０１５３】
離席監視装置４０の制御部４０２の出力する信号（離席報知信号、停止指示信号、誤操作警告信号、離席情報信号）をトリガー信号とする場合、その目的に必要な期間（制御部４０２が実行の解除を指示するまで）、その実行状態で維持できるようにすることは勿論である。
【０１５４】
また、離席監視装置４０の制御部４０２の出力する信号のうち、報知に関する信号（離席報知信号、誤操作警告信号、離席情報信号）をトリガー信号とする場合、報知手段４０３，３０が報知の実行を可能に構成される(例えば、演算部と記憶部を備える）ことを前提に、報知に必要な情報（画像情報や、音声情報、発光情報等）を報知手段４０３，３０に記憶させておき、トリガー信号を受けたときに報知手段４０３,３０が記憶した情報に基づいて報知を実行するようにしてもよい。
【０１５５】
上記各実施形態において、離席監視装置４０が遊技媒体貸出装置２や呼出装置３等から独立した装置とされたが、これに限定されない。例えば、離席監視装置４０は、遊技媒体貸出装置２や呼出装置３と一体的に構成されてもよい。
【０１５６】
上記各実施形態において、特に言及しなかったが、例えば、報知手段４０３，３０による報知（警告を含む）に併せ、遊技場Ｈの係員の所持する端末或いはインカムに対して遊技機１が報知（警告）の状態である旨を通知するようにしてもよい。このように係員の所持する端末或いはインカムに通知を行う場合、離席監視装置４０が無線通信手段を備えることを前提に、その無線通信手段によって直接係員の所持する端末或いはインカムに通知（通信）してもよいし、離席監視装置４０が呼出装置３及び通信線Ｌを介して管理コンピュータ５と通信し、該管理コンピュータ５が無線通信手段を作動させて係員の所持する端末或いはインカムに通知（通信）するようにしてもよい。このようにすれば遊技機１から離れた場所に居る係員に遊技機１の状況を知らせることができるため、係員が必要な対応を迅速にとることができる。
【０１５７】
上記第二実施形態において、複数の呼出装置３及び管理コンピュータ５に繋がる単一の通信線Ｌに対して情報提示装置４１が接続されたが、これに限定されない。例えば、図１０に示す如く、複数の離席監視装置４０のそれぞれが、情報提示装置４１に対して独立した通信線Ｌを介して接続されてもよい。
【０１５８】
この場合、図１１に示す如く、各離席監視装置４０の通信ポート４０５には、情報提示装置４１に繋がる通信線Ｌが接続され、図１２に示す如く、情報提示装置４１の通信ポート４１３には、各離席監視装置４０に繋がる複数の通信線Ｌが接続されればよい。
【０１５９】
この場合において、遊技者の離席（離席時間の累積や、これに基づく遊技機１の稼働率等）を管理するために、離席監視装置４０の情報を管理コンピュータ５で取得するには、情報提示装置４１の通信ポート４１３と同様に、管理コンピュータ５に対して各離席監視装置４０に繋がる複数の通信線Ｌが接続されてもよい（図１０参照）。
【０１６０】
また、上記第二実施形態において、複数の離席監視装置４０に対して一つの情報提示装置４１が接続されたが、これに限定されない。情報提示装置４１は、遊技機１から離れた場所に設置されるものであるため、離席中の遊技者の利便性を考慮すれば、複数の情報提示装置４１が異なる場所に設置されていてもよい。
【符号の説明】
【０１６１】
１…遊技機、２…遊技媒体貸出装置、３…呼出装置、４…遊技者離席報知システム、５…管理コンピュータ、３０…報知手段、３１…モニター、３２…発光部、４０…離席監視装置、４１…情報提示装置、４００…鍵体、４０１…鍵体配置部、４０２…制御部、４０３…報知手段、４０３ａ…表示部、４０３ｂ…音声出力部、４０３ｃ…発光報知部、４０４…選択手段、４０５…通信ポート、４０６…認識部、４１０…遠隔制御部、４１１…鍵体認識部、４１２…情報報知手段、４１２ａ…表示部、４１３…通信ポート、Ｇ…遊技島、Ｈ…遊技場、Ｌ…通信線
【図１】
2020151241.tif 000003
【図２】
2020151241.tif 000004
【図３】
2020151241.tif 000005
【図４】
2020151241.tif 000006
【図５】
2020151241.tif 000007
【図６】
2020151241.tif 000008
【図７】
2020151241.tif 000009
【図８】
2020151241.tif 000010
【図９】
2020151241.tif 000011
【図１０】
2020151241.tif 000012
【図１１】
2020151241.tif 000013
【図１２】
2020151241.tif 000014